(57)【特許請求の範囲】
【請求項１】
略直方体形状の筐体と、前記筐体の一側面部に設けた略方形状の開口部と、前記開口部の底部より筐体内方へ延伸する舌部と、電源供給あるいは通信を行う電線を接続する端子台と、前記舌部と前記筐体の一側面部とを連結する連結部と、前記開口部を覆う保護カバーとを備え、前記端子台を前記舌部に配置するとともに、前記連結部に前記筐体の一側面部と略平行となる平行面を設けるとともに、前記保護カバーの一部と前記平行面とを面接触させて前記保護カバーを前記筐体に取り付けることを特徴とする熱源ユニット。
【請求項２】
前記保護カバーの一部に施された第１の貫通穴を、前記連結部の一部に施された引っ掛け爪に引っ掛けて固定するとともに、前記引っ掛け爪は、前記端子台の上方に設けたことを特徴とする請求項１に記載の熱源ユニット。
【請求項３】
前記端子台の天面と略同じ高さの位置の前記連結部に、第２の貫通穴を設けたことを特徴とする請求項１または２に記載の熱源ユニット。
【請求項４】
前記連結部の側面にカール曲げを施したことを特徴とする請求項１〜３のいずれか１項に記載の熱源ユニット。
【請求項５】
前記端子台の略上方部に空間ができるように、前記連結部を加工し、前記連結部の一端を前記舌部に固定するとともに、前記連結部の他端を前記筐体の一側面部に固定することを特徴とする請求項１〜４のいずれか１項に記載の熱源ユニット。
【発明の詳細な説明】
【技術分野】
【０００１】
本発明は、ヒートポンプ方式の熱源ユニットの構造に関するものである。
【背景技術】
【０００２】
従来の熱源ユニットの構成において、筐体の側面部の開口部内に固定された端子台が、筐体側面開口部全体に覆われている配管カバーにより、水分や粉塵の浸入を防止することが出来る発明が開示されている（例えば、特許文献１参照）。
【特許文献１】特開２００５−１８０７１６号公報
【発明の開示】
【発明が解決しようとする課題】
【０００３】
しかしながら、従来の構成では、電源カバーが樹脂製であり、万が一何らかの原因で通信異常により電線が発火した場合、電源カバーに燃え移ることがあり、樹脂製である電源カバーが燃えて外部へと延焼する問題が発生しやすいという課題を有していた。
【０００４】
本発明は、前記従来の課題を解決するもので、万が一何らかの原因で電線が発火したとしても、被害が拡大することを防止する熱源ユニットの提供することを目的とする。
【課題を解決するための手段】
【０００５】
前記従来の課題を解決するために、本発明の熱源ユニットは、略直方体形状の筐体と、前記筐体の一側面部に設けた略方形状の開口部と、前記開口部の底部より筐体内方へ延伸する舌部と、電源供給あるいは通信を行う電線を接続する端子台と、前記舌部と前記筐体の一側面部とを連結する連結部と、前記開口部を覆う保護カバーとを備え、前記端子台を前記舌部に配置するとともに、前記連結部に前記筐体の一側面部と略平行となる平行面を設けるとともに、前記保護カバーの一部と前記平行面とを面接触させて前記保護カバーを前記筐体に取り付けることにより、端子台が何らかの原因で発火したとしても、端子台の上部は連結部と保護カバーが面接触しているので、上方に炎が立ち上がった場合は、面接触部で左右に炎が分散し、筐体の上方部に設けられている電装部品へ延焼する影響を低減することができる。
【発明の効果】
【０００６】
本発明は、万が一何らかの原因で電線が発火したとしても、被害が拡大することを防止する熱源ユニットの提供することができる。
【発明を実施するための最良の形態】
【０００７】
第１の発明の熱源ユニットは、略直方体形状の筐体と、前記筐体の一側面部に設けた略方形状の開口部と、前記開口部の底部より筐体内方へ延伸する舌部と、電源供給あるいは通信を行う電線を接続する端子台と、前記舌部と前記筐体の一側面部とを連結する連結部と、前記開口部を覆う保護カバーとを備え、前記端子台を前記舌部に配置するとともに、前記連結部に前記筐体の一側面部と略平行となる平行面を設けるとともに、前記保護カバーの一部と前記平行面とを面接触させて前記保護カバーを前記筐体に取り付けることにより、端子台が何らかの原因で発火したとしても、端子台の上部は連結部と保護カバーが面接触しているので、上方に炎が立ち上がった場合は、面接触部で左右に炎が分散し、筐体の上方部に設けられている電装部品へ延焼する影響を低減することができる。
【０００８】
第２の発明の熱源ユニットは、特に第１の発明において、前記保護カバーの一部に施された第１の貫通穴を、前記連結部の一部に施された引っ掛け爪に引っ掛けて固定するとと
もに、前記引っ掛け爪は、前記端子台の上方に設けたことにより、連結部に保護カバーを引っ掛ける作業において、筐体の外側から保護カバーに設けた貫通穴を通して、筐体内部の連結部に設けた引っ掛け爪を確認することができるので、短時間での着脱が可能となる。
【０００９】
第３の発明の熱源ユニットは、特に第１または第２の発明において、前記端子台の天面と略同じ高さの位置の前記連結部に、第２の貫通穴を設けたことにより、端子台に最も近い部分の連結部に貫通穴を施すことにより、端子台の天面に虫が滞留するのを防ぐことが可能となる。
【００１０】
第４の発明の熱源ユニットは、特に第１〜第３の発明において、前記連結部の側面にカール曲げを施したことにより、電装部品と端子台とを接続する接続線が連結部のカール部に当接するので、接続線の摩耗を防ぐことができる。
【００１１】
第５の発明の熱源ユニットは、特に第１〜第４の発明において、前記端子台の略上方部に空間ができるように、前記連結部を加工し、前記連結部の一端を前記舌部に固定するとともに、前記連結部の他端を前記筐体の一側面部に固定することにより、端子台から電装部の電線着脱作業を容易にするために端子台の上方に空間を設けることが可能となり、電線の突っ張りを防止でき、端子台及び電線の着脱作業も容易にしている。
【００１２】
以下、本発明の実施の形態について、図面を参照しながら説明する。なお、この実施の形態によって本発明が限定されるものではない。
【００１３】
（実施の形態１）
図１は、本発明の熱源ユニットの構成図である。図１において、本発明の熱源ユニットは、略直方体形状の筐体の一側面部に金属製の側板２、筐体の底部を構成する基板１上に空気熱交換器８、圧縮機７等を配設し、更に空気熱交換器８と圧縮機７との空間に仕切板６を配設し、仕切板６の上方に電装部品が配設されている電源板４を載置し、側板２の上方に係止固定されている。
【００１４】
次に、端子台の構成について、図面を参照にしながら説明する。図２は、筐体の一側面部の構成図である。図２において、筐体の一側面部は、側板２に略方形状の開口部２１を備えており、開口部２１の底部より筐体内方に向かって、斜め上方方向に舌部２２が延伸している構成となっている。そして、開口部２１を覆うように保護カバー１４が設けられ、さらに、保護カバー１４および配管等をカバーするための配管カバー１０が設けられている。
【００１５】
図３は、開口部２１近傍の構成を示した図である。図３において、開口部２１の底部より延伸した舌部２２上には、電源供給あるいは通信を行う電線を接続する端子台１１が設置されている。なお、端子台に接続する電線は、本熱源ユニットを空気調和機の室外ユニットとした場合には、室内ユニットとを結ぶ電線を意味する。また、熱源ユニットの上方部に設けられた電装部品と端子台１１とを接続する接続線１７を有している。
【００１６】
図４は、筐体内部から開口部２１近傍を見た図である。図４において、舌部２２と側板２とを接続する連結部１２が設けられており、連結部１２の一端を舌部２２に固定するとともに、連結部１２の他端を一側面部の側板２に固定して、舌部２２の強度を向上させている。また、連結部１２には、側板２と略平行となる平行面２３が設けられている。
【００１７】
そして平行面２３と保護カバー１４の一部が面接触するような構成としている。このように面接触させることで、端子台１１での発火が発生しても、上方部への延焼を防止する
ことができる。
【００１８】
また、端子台１１の上方部に作業しやすいように空間を設けるように、連結部１２が折り曲げ加工されているので、端子台１１への接続線を接続する作業などがしやすくなる。
【００１９】
図２〜図４に示すように、連結部１２の平行面２３には、引っ掛け爪１３が設けられており、保護カバー１４には第１の貫通穴１５が設けられており、引っ掛け爪１３に第１の貫通穴１５を引っ掛けて、保護カバー１４の底部と側板２とをビス等で固定する構成としている。このように、引っ掛け爪１３に第１の貫通穴１５を引っ掛ける作業を行う際には、第１の貫通穴１５を通して引っ掛け爪１３の目標を捕らえることができるため、作業効率が向上し、なおかつ、保護カバー１４と側板２とをビス等で固定する時の位置決めをすることができる。
【００２０】
以上のような構成にすることで、端子台１１に万が一発火した場合には、連結部１２によって、炎が上方に上がったとしても左右に分裂することになり、上方部への炎の拡大を防止することができる。さらに、筐体の上方部には、電装部品などが配設されているので、炎を左右に分裂させることで、電装部品への影響を低減することができる。
【００２１】
また、端子台１１の天面と略同じ高さの位置で、かつ連結部１２上には、第２の貫通穴１８が設けられており、電装部品と端子台１１とを接続する接続線１７の端子に無視が触れて焼き付き発火するという問題に対しても、第２の貫通穴１８を設けることで、虫等の異質物が端子台１１に滞留することを防止することができる。また、この第２の貫通穴１８に電装部品と端子台１１とを接続する接続線１７を通す構成としてもよい。このように接続線１７を第２の貫通穴１８に接続することによって、炎が上方に上がった時に、連結部１２があるため、接続線１７への影響を低減することができる。
【００２２】
図５は、図３のＡＡ断面図である。図５に示すように、連結部１２の側面にカール曲げ１６を施すことにより、接続線１７が引っ張られて、連結部１２の側面に擦れて接続線１７が損傷することを防止することができる。また、第２の貫通穴１８にヘミング曲げ１９を施すことにより、連結部１２の強度を高めることができる。なお、カール曲げによっても、連結部１２の強度が高められている。
【００２３】
図６は、保護カバーで覆ったときの要部拡大図である。図６において、引っ掛け爪１３に、保護カバー１４に設けた第１の貫通穴１５を引っ掛けた後に、保護カバー１４の底部と側板２とをビスで固定する構成としている。
【００２４】
以上のように、連結部と保護板を接触固定し確実に本体に固定することで、万が一に電装部から発火した場合に延焼を確実に防ぐことができる強度を維持できる安全な構成となり生産性及びサービス性の向上も兼ね備えた熱源ユニットとなる。
【産業上の利用可能性】
【００２５】
以上のように、本発明にかかる熱源ユニットは、空気調和機の室外ユニットだけではなく、ヒートポンプ給湯機の室外ユニットにも適用することができる。
【図面の簡単な説明】
【００２６】
【図１】本発明の実施の形態１における熱源ユニットの構成図
【図２】同筐体の一側面部の構成図
【図３】同開口部近傍の構成図
【図４】同筐体内部から開口部近傍を見た図
【図５】ＡＡ断面図
【図６】同要部拡大図
【符号の説明】
【００２７】
１  基板
２  側板
３  天板
４  電源板
６  仕切板
７  圧縮機
８  空気熱交換器
９  ファン
１０  配管カバー
１１  端子台
１２  連結部
１３  引っ掛け爪
１４  保護カバー
１５  第１の貫通穴
１６  カール曲げ部
１７  接続線
１８  第２の貫通穴
１９  ヘミング曲げ部
２０  縦リブ
２１  開口部
２２  舌部
２３  平行面
【図１】
0004941372.tif 000002
【図２】
0004941372.tif 000003
【図３】
0004941372.tif 000004
【図４】
0004941372.tif 000005
【図５】
0004941372.tif 000006
【図６】
0004941372.tif 000007